(57)【特許請求の範囲】
【請求項１】
軸筒と、該軸筒の後部に軸方向へ移動可能に取り付けられたノックストローク部材と、該ノックストローク部材と前記軸筒との間に介在され、前記ノックストローク部材の移動に追従して軸方向へ伸縮する外装用の蛇腹と、前記軸筒内に前後進移動可能に挿入されて後退方向に付勢されたレフィールと、該レフィールを後退付勢力に抗して前進移動させるノック部材とを備えたノック式筆記具において、
前記ノック部材と前記ノックストローク部材とを間欠的に連動させ、前記ノック部材のノック時に前記レフィールの系統のみを所定の距離だけ前進移動させる第１段ノックストロークと、この第１段ノックストロークだけ前進移動した後のレフィールをさらに続けて筆記位置まで前進移動させる第２段ノックストロークとを設定し、前記第２段ノックストロークでのレフィールの前進移動時にのみ前記ノックストローク部材を前記ノック部材のノック力で前進移動させるように構成したことを特徴とするノック式筆記具。
【請求項２】
前記ノックストローク部材の内部にはノック受け部材が軸方向移動可能に配置されて該ノック受け部材にノック部材が連結されており、ノック部材のノック操作でノック受け部材が前記第１段ノックストロークから第２段ノックストロークに移行前進する際に前記ノック受け部材が前記ノックストローク部材に係脱可能に係止して該ノックストローク部材を前進移動させるようになっていることを特徴とする請求項１に記載のノック式筆記具。
【請求項３】
前記ノック受け部材とレフィールとの間には、ノック部材のノック時に前記ノック受け部材を介して前進移動し、レフィールを前進移動させて該レフィールを筆記位置でロックするロック機構が設けられていることを特徴とする請求項２に記載のノック式筆記具。
【請求項４】
蛇腹の内周面が当接する部材には、蛇腹の圧縮・伸長に伴って該蛇腹を圧縮前の位置に戻すための空気溝が設けられていることを特徴とする請求項１に記載のノック式筆記具。
【請求項５】
前記ノック部材は、線状部材を屈曲して形成されたクリップからなっていることを特徴とする請求項１から請求項３のいずれか１項に記載のノック式筆記具。
【発明の詳細な説明】
【技術分野】
【０００１】
本発明は、レフィールを備えたノック式筆記具に関し、特にレフィールのノックストローク部に蛇腹を備えたノック式筆記具に関するものである。
【背景技術】
【０００２】
一般にノック式筆記具は、ノック式シャープペンシルとノック式ボールペンに大別され、両者のノックストロークを対比すると、ノック式シャープペンシルのノックストロークよりもノック式ボールペンのノックストロークが大きくなっている。
このようなノック式筆記具において、近年、デザイン性の向上を図るために該筆記具のノックストローク部に外装用に蛇腹を装備し、レフィールのノック操作時に前記蛇腹を軸方向に伸縮させる構造としたものが提供されている。
【０００３】
なお、上記先行技術は当業者一般に知られた技術であって、文献公知発明に係るものではない。
【発明の開示】
【発明が解決しようとする課題】
【０００４】
従来のノック式筆記具において、特にノック式シャープペンシルよりも大きなノックストロークを必要とするノック式ボールペンに外装用の蛇腹を装備した場合、１段ノック（１回のノック操作）のみでレフィールを筆記位置まで前進移動させる構造となっているため、前記蛇腹はレフィールのノックストロークに対応した長さのものとしなければならない。シャープペンシルとボールペンとの軸筒の全長が同一長さである条件下では、レフィール繰り出しに伴うノック操作時において、前記蛇腹の圧縮率をシャープペンシルの蛇腹圧縮率と同一にしようとすると、蛇腹の長さを短くせざるを得ないが、ノック操作解除時にはシャープペンシルとの圧縮率が異なってしまい外観上好ましくないという課題があった。
一方、シャープペンシルと全長が同一長さの蛇腹を用いると、ノック操作解除時には同一の圧縮率が確保されるが、ノック操作に伴う該蛇腹の圧縮時の圧縮率は大きいために、シャープペンシルノック操作時と対比すると圧縮距離が短くなりすぎ、外観上好ましくなかった。
また、蛇腹の圧縮率を大きくするということは、レフィールのノックおよびノック解除を繰り返す度に、軸方向の伸縮を繰り返すことにより、蛇腹が過度に圧縮されて早期に疲労する等の課題もあった。さらに、ノック解除により蛇腹が伸長する際、圧縮前の位置まで戻りきらないことがあり、蛇腹が捲れて該蛇腹の内周面が当接する部材の生地が露出してしまうという問題があった。
【０００５】
本発明は上記のような課題を解決するためになされたもので、ノック式シャープペンシルよりもノックストロークが大きなノック式ボールペンにシャープペンシルと全長が同一長さの蛇腹を装備した場合であっても、シャープペンシルの蛇腹とほぼ同じ圧縮率で、かつ圧縮距離がほぼ同じ長さで確保でき、それでいてレフィールを筆記位置までスムーズに繰り出すことができるノック式筆記具を提供することを目的とする。
【課題を解決するための手段】
【０００６】
本発明に係るノック式筆記具は、軸筒と、該軸筒の後部に軸方向へ移動可能に取り付けられたノックストローク部材と、該ノックストローク部材と前記軸筒との間に介在され、前記ノックストローク部材の移動に追従して軸方向へ伸縮する外装用の蛇腹と、前記軸筒内に前後進移動可能に挿入されて後退方向に付勢されたレフィールと、該レフィールを後退付勢力に抗して前進移動させるノック部材とを備えたノック式筆記具において、前記ノック部材と前記ノックストローク部材とを間欠的に連動させ、前記ノック部材のノック時に前記レフィールの系統のみを所定の距離だけ前進移動させる第１段ノックストロークと、この第１段ノックストロークだけ前進移動した後のレフィールをさらに続けて筆記位置まで前進移動させる第２段ノックストロークとを設定し、前記第２段ノックストロークでのレフィールの前進移動時にのみ前記ノックストローク部材を前記ノック部材のノック力で前進移動させるように構成したものである。
【０００７】
本発明に係るノック式筆記具において、前記ノックストローク部材の内部にはノック受け部材が軸方向移動可能に配置されて該ノック受け部材にノック部材が連結されており、ノック部材のノック操作でノック受け部材が前記第１段ノックストロークから第２段ノックストロークに移行前進する際に前記ノック受け部材が前記ノックストローク部材に係脱可能に係止して該ノックストローク部材を前進移動させるようになっているものである。
【０００８】
本発明に係るノック式筆記具において、前記ノック受け部材とレフィールとの間には、ノック部材のノック時に前記ノック受け部材を介して前進移動し、レフィールを前進移動させて該レフィールを筆記位置でロックするロック機構が設けられているものである。
【０００９】
本発明に係るノック式筆記具において、蛇腹の内周面が当接する部材には、蛇腹の圧縮・伸長に伴って該蛇腹を圧縮前の位置に戻すための空気溝が設けられているものである。
【００１０】
本発明に係るノック式筆記具において、前記ノック部材は、線状部材を屈曲して形成されたクリップからなっているものである。
【発明の効果】
【００１１】
本発明のノック式筆記具によれば、ノック部材のノック操作によるレフィール系統の第１段ノックストロークではノックストローク部材を前進させずに前記レフィール系統を繰出方向に前進移動させ、これに連続して前記レフィールを筆記位置まで前進移動させる第２段ノックストロークで前記ノックストローク部材を前進移動させるように構成したので、ノックストローク部材の前進移動で圧縮される蛇腹の全長は前記第２段ノックストローク分の長さでよく、このため、蛇腹の全長をシャープペンシルタイプの蛇腹と同一長さにできると共に、該蛇腹の過度圧縮を抑制して該蛇腹の早期疲労を防止できるという効果がある。すなわち、従来のノック式ボールペンに蛇腹を装備した場合、該蛇腹の長さをレフィールの大きなノックストロークに対応した長さにしなければならないが、本発明では、前記第１段ノックストロークではノックストローク部材が静止位置に保持されて蛇腹は圧縮されないので、ノック式ボールペンに比べてノックストロークが少ないノック式シャープペンシルに装備する蛇腹と同様の長さの蛇腹をノック式ボールペンに適用できるという効果がある。
【００１２】
また、本発明のノック式筆記具によれば、前記ノックストローク部材の内部に配置されたノック受け部材にノック部材が連結されており、該ノック部材のノック操作で前記ノック受け部材が前記第１段ノックストロークから第２段ノックストロークに移行前進する際に前記ノック受け部材が前記ノックストローク部材に係脱可能に係止して該ノックストローク部材を前進移動させるので、前記第２段ノックストロークでのみノックストローク部材を確実かつスムーズに前進移動させることができるという効果がある。
【００１３】
さらに、本発明のノック式筆記具によれば、蛇腹の内周面が当接する部材に設けられた空気溝によって、蛇腹が前記部材に張り付くのを防止でき、このため、蛇腹が捲れて該蛇腹の内周面が当接する部材の生地が露出してしまうようなことがないという効果がある。
【００１４】
本発明のノック式筆記具によれば、線状部材を屈曲して形成されたクリップがノック部材となっているので、クリップとは別のノック部材を必要とせず、ノック式筆記具のデザイン性が向上するという効果がある。
【００１５】
実施の形態１．
図１はこの発明の実施の形態１によるノック式筆記具を示す断面図、図２は図１の外観図である。
【００１６】
図１に示すノック式筆記具は、軸筒１と、該軸筒１の後部に軸方向へ移動可能に取り付けられたノックストローク部材６と、該ノックストローク部材６の前端と前記軸筒１の後端との間に介在され、前記ノックストローク部材６の移動に追従して軸方向へ伸縮する外装用の蛇腹５と、前記軸筒１内に前後進移動可能に挿入されて後退方向に付勢されたレフィール１５と、該レフィール１５を後退付勢力に抗して前進移動させるノック部材１４とを備えたノック式ボールペンからなっている。そして、前記ノック部材１４とノックストローク部材６とを間欠的に連動させ、前記ノック部材１４のノック時にレフィール１５の系統のみを所定の距離だけ前進移動させる第１段ノックストロークＬ１と、この第１段ノックストロークＬ１だけ前進移動した後のレフィール１５をさらに続けて筆記位置まで前進移動させる第２段ノックストロークＬ２とを設定し、第２段ノックストロークＬ２でのレフィール１５の前進移動時に前記ノックストローク部材６をノック部材１４のノック力で前進移動させるようにした基本構造となっており、その詳細な構造を以下に説明する。
【００１７】
まず、前記軸筒１は、前端に螺合等の手段で着脱可能に連結された先軸２と、同じく螺合等の手段で先軸２に着脱可能に連結された先具３とを備えており、その軸筒１の後部にはカム止め具４を介して蛇腹５とノックストローク部材６が取り付けられている。
【００１８】
さらに詳述すると、前記カム止め具４は、前部大径筒部４Ａと中間径筒部４Ｂと後部小径筒部４Ｃとが一体形成された段付き筒状体からなっており、前部大径筒部４Ａが軸筒１の後部内面に嵌着固定されている。そして、前記カム止め具４の中間径筒部４Ｂの外側に蛇腹５とノックストローク部材６が軸方向へ移動可能に順次嵌挿されている。したがって、蛇腹５は、軸筒１の後端とノックストローク部材６の前端との間に介在されノックストローク部材６の軸方向移動に追従して伸縮するようになっている。
【００１９】
また、前記カム止め具４内には、軸筒１内に挿入されたレフィール１５を筆記位置でロックするロック機構としてカム機構７が組み込まれている。このカム機構７は、前記カム止め具４内に嵌着された筒状のカム本体８と、該カム本体８の内部に軸方向移動可能に配置された筒状の回転カム９と、該回転カム９に嵌挿されたノックカム１０とからなり、前記カム本体８にはカム面８ａが形成され、前記回転カム９には前記カム面８ａに係合するカム突起９ａが形成されている。かかるカム機構７は、後述するノック操作によるノックカム１０の前進移動で回転カム９が前進しながら回転してカム突起９ａがカム本体８のカム面８ａの所定位置（カム山）に係合することにより、レフィールを筆記位置でロックする構造となっている。
【００２０】
前記ノックカム１０の後部には、筒状部１１ａを有するノック受け部材１１の前記筒状部１１ａが嵌挿され、該ノック受け部材１１はノックスプリング１２によって後方に付勢されている。また、前記ノック受け部材１１には、前記ノックストローク部材６の内面に形成された内段部からなる係止部６ａに係脱可能に係止させるための係止突起１１ｂが設けられており、この係止突起１１ｂが前記ノックスプリング１２の後端側のスプリング受けを兼ねている。
【００２１】
一方、前記ノックストローク部材６は、軸筒１の後端に蛇腹５を介して同軸状に連結された後軸からなっており、その後端部には中心孔１３ａを有する尾冠１３が着脱可能に嵌着されている。尾冠１３の中心孔１３ａには、ノック部材を兼ねるクリップ１４の基部が摺動可能に嵌挿されている。このクリップ１４は、針金等の線状部材を折曲して形成されたもので、前部に湾曲クリップ部１４ａが形成され、後部がＵ字形状に折り返し形成され、その折り返し側の線状基部１４ｂが前記尾冠１３の中心孔１３ａに摺動可能に挿入されて前記ノック受け部材１１に連結されている。
【００２２】
ここで、ノック受け部材１１は前述のようにノックスプリング１２で後方に付勢されていることにより、その後方付勢力は、尾冠１３を介してノックストローク部材（後軸）６にも及んでいる。このため、レフィール１５が軸筒１内に退没したボールペン不使用時のノックストローク部材６は、前記ノックスプリング１２の後方付勢力によって蛇腹５が伸びた後退位置に保持される。
【００２３】
前記軸筒１内にはボールペンのレフィール１５が軸方向移動可能に挿入され、該レフィール１５はリターンスプリング１６で後方に付勢されて前記回転カム９に連動するようになっている。すなわち、リターンスプリング１６の後方付勢力によってレフィール１５の後端が回転カム９の前端部に当接しているのである。
【００２４】
以上において、カム止め具４の後端とノック受け部材１１の係止突起１１ｂ前端との間は、レフィール１５を筆記位置まで繰り出すためのノックストロークＬとして設定されている。このノックストロークＬにおいて、ノックストローク部材６の内段からなる係止部６ａとノック受け部材１１の係止突起１１ｂとの間は、クリップ（ノック部材）１４のノック操作によるノック力がノックストローク部材６および蛇腹５には及ばない第１段ノックストロークＬ１として設定され、また、前記係止部６ａとカム止め具４の後端との間は、前記ノック力によってノックストローク部材６が前進する第２段ノックストロークＬ２として設定されている。
【００２５】
次に動作について説明する。
まず、図３（Ａ）に示すように、レフィール１５が軸筒１内に退没した状態では、カム機構７の回転カム９とノックカム１０およびノック受け部材１１は、リターンスプリング１６およびノックスプリング１２の後方付勢力によって、それぞれが後退位置に保持されている。
【００２６】
その状態において、クリップ１４の後端をノックすると、該クリップ１４に連結されたノック受け部材１１の係止突起１１ｂがノックストローク部材６の係止部６ａに当接するまでの第１段ノックストロークＬ１では、前記ノック受け部材１１とノックカム１０と回転カム９およびレフィール１５（これらを以下レフィール１５系統という）が一体的に前進移動するが、ノックストローク部材６および蛇腹５は静止したままの状態に維持される。
【００２７】
そして、クリップ１４の後端ノックの継続操作により、前記ノック受け部材１１の係止突起１１ｂがノックストローク部材６の係止部６ａに当接する（図３（Ｂ）参照）。該当接後のノック受け部材１１は前進移動を継続して第２段ノックストロークＬ２に移行・前進する（図３（Ｃ）参照）。すなわち、第２段ノックストロークＬ２では、ノック受け部材１１の係止突起１１ｂがノックストローク部材６の係止部６ｂに係止した状態でノック受け部材１１とノックカム１０と回転カム９が一体的に前進移動を継続することにより、前記ノック受け部材１１でノックストローク部材６が押されて前進し、蛇腹５が圧縮される。蛇腹５の圧縮位置ではレフィール１６が筆記位置に突出してカム機構７でロック保持される。このとき、クリップ１４の後端ノックを解除すると、ノックスプリング１２の付勢力でノック受け部材１１が後退移動することにより、該ノック受け部材１１に追従してノックストローク部材６も後退移動すると共に蛇腹５も元の静止位置まで伸びる（図３（Ｄ）参照）。
【００２８】
以上説明した実施の形態１によれば、クリップ１４の後端ノックでレフィール１５を筆記位置まで前進させるノックストロークＬのうち、クリップ１４の後端ノック初期のノックストロークを第１段ノックストロークＬ１として設定し、この第１段ノックストロークＬ１ではクリップ１４のノック力がノックストローク部材６に伝達されずにレフィール１５系統に伝達されて該レフィール１５が前進させられるようにすると共に、前記第１段ノックストロークＬ１の前部に第２段ノックストロークＬ２を連続して設定し、この第２段ノックストロークＬ２でのレフィール１５の前進移動時にのみクリップ１４の後端ノック力がノックストローク部材６に伝達されて該ノックストローク部材６が前進移動するように構成したので、クリップ１４の後端ノックによるレフィール１５の繰り出し時におけるノックストローク部材６の移動距離および該ノックストローク部材６で圧縮される蛇腹５の圧縮率（圧縮距離）を小さくでき、このため、シャープペンシルと同一の蛇腹圧縮率を確保するために蛇腹５の全長を短くする必要がなく、該蛇腹５の過度圧縮を抑制できて該蛇腹５の早期疲労を防止できるという効果がある。
【００２９】
したがって、前記第２段ノックストロークＬ２をシャープペンシルの芯繰出時のノックストロークと同じに設定することができ、その設定により、蛇腹５の全長をシャープペンシルの芯繰出時のノックストロークに合わせた寸法に短くできるものでありながら、第１段ノックストロークＬ１と第２段ノックストロークＬ２とによって、シャープペンシルよりも長いノックストロークを必要とするボールペンのノックストローク部材の軸方向移動をシャープペンシルのノックストローク距離とほぼ同一に確保することができるという効果がある。
【００３０】
また、上記実施の形態１によるノック式ボールペンでは、軸筒１とノックストローク部材６を同一外径に形成すると共に、線状部材を折曲しただけで形成されたクリップ１４をノック部材として適用し、該クリップ１４後部の折り返し側の線状基部１４ｂを尾冠１３の中心孔１３ａに摺動可能に挿入してノック受け部材１１に連結したので、全体がシンプルでデザイン性に優れたノック式ボールペンを得ることができるという効果がある。
【００３１】
実施の形態２．
図４は本発明の実施の形態２によるノック式筆記具の要部を示す断面図、図５は図４のＡ−Ａ線に沿った断面図であり、図１〜図３と同一の構成要素には同一符号を付して重複説明を省略する。
この実施の形態２では、蛇腹５の内周面が当接する部材となっているカム止め具４の外周面に、前記蛇腹５の圧縮・伸長に伴って該蛇腹５を圧縮前の位置に戻すための空気溝１７を、カム止め具４の周方向に所定の間隔で設けたことを特徴とするものである。なお、本実施形態の空気溝１７は周方向に一通であるが、この空気溝は螺子溝でも軸方向溝でも蛇腹の内周面との間に一定の空気流通経路が確保できるものであれば良い。
【００３２】
このように、カム止め具４の外周面に凹凸部１７，１８を設けたことにより、該凹凸部１７，１８の凸部１８にのみ蛇腹５の内周面が軸方向へ摺接可能に当接し、かつ、凹部１７が蛇腹１８の圧縮・伸長時における空気流路を形成するので、蛇腹５の内周面が当接する部材の一つである前記カム止め具４に蛇腹５が張り付くのを防止でき、このため、蛇腹が捲れて該蛇腹５の内周面が当接する部材の生地が露出してしまうようなことがないという効果がある。
【図面の簡単な説明】
【００３３】
【図１】本発明の実施の形態１によるノック式筆記具を示す断面図である。
【図２】図１の外観図である。
【図３】動作説明図である。
【図４】本発明の実施の形態２によるノック式筆記具の要部を示す断面図である。
【図５】図４のＡ−Ａ線に沿った断面図である。
【符号の説明】
【００３４】
１  軸筒
２  先軸
３  先具
４  カム止め具
４Ａ  前部大径筒部
４Ｂ  中間径筒部
４Ｃ  後部小径筒部
５  蛇腹
６  ノックストローク部材
６ａ  係止部
６ｂ  係止部
７  カム機構（ロック機構）
８  カム本体
８ａ  カム面
９  回転カム
９ａ  カム突起
１０  ノックカム
１１  ノック受け部材
１１ａ  筒状部
１１ｂ  係止突起
１２  ノックスプリング
１３  尾冠
１３ａ  中心孔
１４  クリップ（ノック部材）
１４ａ  湾曲クリップ部
１４ｂ  線状基部
１５  レフィール
１６  リターンスプリング
１７  空気溝
【図１】
0005389631.tif 000002
【図２】
0005389631.tif 000003
【図３】
0005389631.tif 000004
【図４】
0005389631.tif 000005
【図５】
0005389631.tif 000006